【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
ダイヤフラム弁であって、
弁空洞と、第１のポートと、第２のポートとを備える弁体であって、前記第１のポートおよび前記第２のポートは、前記弁空洞に開放する、弁体と、
前記弁空洞を密閉するために配置された弁アセンブリであって、前記弁アセンブリは、弁座と、弁座担体と、ダイヤフラムとを備え、前記弁座は、前記弁座担体と、前記弁座担体の第１の側に取着された前記ダイヤフラムと保定され、前記弁座は、前記第１のポートを囲繞するように配置され、前記ダイヤフラムは、前記ダイヤフラムの周縁を中心とする溶接によって前記弁座担体に取着されている、弁アセンブリと、
前記弁体と組み立てられ、かつ環状ビーズを含むねじ山付き部材であって、前記環状ビーズは、完全に前記溶接の内に前記ダイヤフラムの非湿潤表面に直接に接触して、完全に前記溶接の内に前記ダイヤフラムに圧縮荷重を印加することにより、前記溶接を隔離する、ねじ山付き部材と
を備える、ダイヤフラム弁。
【請求項２】
前記ダイヤフラムは、ドーム状円形ディスクを備える、請求項１に記載のダイヤフラム弁。
【請求項３】
前記弁座担体は、外側リムと、前記外側リムから中心開口部に半径方向内向きに延在するウェブとを有する、環状体を備え、前記中心開口部は、前記弁アセンブリが前記弁体内に設置されると、前記第１のポートと整合される、請求項１に記載のダイヤフラム弁。
【請求項４】
前記ウェブは、前記中心開口部を中心とするランド部によって分離された複数の流動通路を備える、請求項３に記載のダイヤフラム弁。
【請求項５】
前記弁座は、前記弁座の円周方向壁と前記中心開口部を画定する前記ウェブの壁との間の締まり嵌めによって、前記弁座担体と保定されている、請求項３に記載のダイヤフラム弁。
【請求項６】
前記ウェブは、前記ウェブが、前記ダイヤフラムから外方を向く前記弁座の表面を、前記第１のポートを囲繞する前記弁体の密閉表面と接触するよう付勢するように可撓性である、請求項３に記載のダイヤフラム弁。
【請求項７】
隣接する対の前記流動通路間の各前記ランド部は、前記ランド部が前記第２のポートを覆うとき、流動の閉塞を低減させるように、前記第２のポートの断面積未満の表面積を有する、請求項４に記載のダイヤフラム弁。
【請求項８】
前記ダイヤフラムは、ドーム状円形ディスクを備え、前記ドーム状円形ディスクは、前記ドーム状円形ディスクの周縁を中心とする前記溶接によって前記弁座担体に取着され、前記ダイヤフラムは、前記ねじ山付き部材の前記環状ビーズと、前記弁座担体の前記第１の側上の表面と間に圧縮される、請求項１に記載のダイヤフラム弁。
【請求項９】
前記第２のポートは、前記弁空洞を画定する、前記弁体の表面内に提供され、前記弁座担体は、外側リムと、前記外側リムから中心開口部に半径方向内向きに延在するウェブとを有する、環状体を備え、前記ウェブは、前記ウェブの下側表面と前記弁体の前記表面との間に間隙を提供するように配置されている、請求項１に記載のダイヤフラム弁。
【請求項１０】
前記ダイヤフラムの表面を前記弁座と接触させ、かつ接触から外すよう移動させるように動作可能である、弁アクチュエータと組み合わせた、請求項１に記載のダイヤフラム弁。
【請求項１１】
前記ダイヤフラムは、ステンレス鋼から成り、前記弁座担体は、ステンレス鋼から成り、前記弁座は、ポリマーまたはプラスチックから成る、請求項１に記載のダイヤフラム弁。
【請求項１２】
前記ダイヤフラムは、前記第１のポートと前記第２のポートとの間で流動を開閉するように動作可能であり、前記ダイヤフラムは、前記弁座と接触し、前記第１のポートと前記第２のポートとの間の流動を閉鎖するように移動可能である、請求項１に記載のダイヤフラム弁。
【請求項１３】
前記弁座担体は、ばね定数１００，０００ポンド／インチ未満を有する、請求項１に記載のダイヤフラム弁。
【請求項１４】
前記弁座担体は、ばね定数８０，０００ポンド／インチ未満を有する、請求項１２に記載のダイヤフラム弁。
【請求項１５】
前記弁座担体は、ばね定数約２０，０００ポンド／インチを有する、請求項１４に記載のダイヤフラム弁。
【請求項１６】
前記間隙は、前記第２のポートの流動面積以上の流動面積を呈する、請求項９に記載のダイヤフラム弁。
【請求項１７】
前記ウェブは、概して、平面であり、ばね定数１００，０００ポンド／インチ未満を有する、請求項１６に記載のダイヤフラム弁。
【請求項１８】
前記圧縮荷重は、前記ダイヤフラムの撓曲に起因する応力から前記溶接を隔離する、請求項１に記載のダイヤフラム弁。
【請求項１９】
前記弁座は、前記第１のポートと流体連通する流動通路を備える、請求項１に記載のダイヤフラム弁。
【請求項２０】
前記ウェブは、前記弁座と前記密閉表面との間に約５０〜１００ポンドの荷重を印加する、請求項６に記載のダイヤフラム弁。
【請求項２１】
前記弁体と組み立てられた弁アクチュエータをさらに備え、前記弁アクチュエータは、前記ダイヤフラムの表面を前記弁座と接触させ、かつ接触から外すよう移動させるように動作可能であり、前記弁アクチュエータは、前記ねじ山付き部材から分離され、前記弁アクチュエータは、前記弁体から前記ねじ山付き部材を除去することなしに、前記弁体から除去可能である、請求項１に記載のダイヤフラム弁。
【請求項２２】
前記弁アクチュエータは、前記ねじ山付き部材によって前記弁体に固着されている、請求項２１に記載のダイヤフラム弁。
【請求項２３】
前記ねじ山付き部材は、内側ねじ山付き部分を備える、請求項１に記載のダイヤフラム弁。
【請求項２４】
前記ねじ山付き部材の前記内側ねじ山付き部分と螺合して組み立てられた弁アクチュエータをさらに備える、請求項２３に記載のダイヤフラム弁。
【手続補正２】
【補正対象書類名】明細書
【補正対象項目名】０００８
【補正方法】変更
【補正の内容】
【０００８】
本発明のこれらおよび他の概念ならびに本明細書に記載される種々の実施形態の付加的側面および利点は、以下の発明を実施するための形態および付随の図面から、当業者によって容易に理解および認識されるであろう。
本願明細書は、例えば、以下の項目も提供する。
（項目１）
ダイヤフラム弁であって、
弁空洞と、第１のポートと、第２のポートとを備える弁体であって、前記第１のポートおよび前記第２のポートは、前記弁空洞に開放する、弁体と、
前記弁空洞を密閉するために配置された弁アセンブリであって、前記弁アセンブリは、弁座と、弁座担体と、ダイヤフラムとを備え、前記弁座は、前記弁座担体と、溶接によって前記弁座担体の第１の側に取着された前記ダイヤフラムと保定され、前記弁座は、前記第１のポートを囲繞するように配置され、前記弁座は、前記第１のポートと流体連通する流動通路を備える、弁アセンブリと
を備える、ダイヤフラム弁。
（項目２）
前記ダイヤフラムは、ドーム状円形ディスクを備え、前記ダイヤフラムの周縁を中心として前記弁座担体に溶接されている、項目１に記載のダイヤフラム弁。
（項目３）
前記弁座担体は、外側リムと、前記外側リムから中心開口部に半径方向内向きに延在するウェブとを有する、環状体を備え、前記中心開口部は、前記弁アセンブリが前記弁体内に設置されると、前記第１のポートと整合される、項目１に記載のダイヤフラム弁。
（項目４）
前記ウェブは、前記中心開口部を中心とするランド部によって分離された複数の流動通路を備える、項目３に記載のダイヤフラム弁。
（項目５）
前記弁座は、前記弁座の円周方向壁と前記中心開口部を画定する前記ウェブの壁との間の締まり嵌めによって、前記弁座担体と保定されている、項目３に記載のダイヤフラム弁。
（項目６）
前記ウェブは、前記ウェブが、前記ダイヤフラムから外方を向く前記弁座の表面を、前記第１のポートを囲繞する密閉表面と接触するよう付勢するように可撓性である、項目５に記載のダイヤフラム弁。
（項目７）
隣接する対の前記流動通路間の各前記ランド部は、前記ランド部が前記第２のポートを覆うとき、流動の閉塞を低減させるように、前記第２のポートの断面積未満の表面積を有する、項目４に記載のダイヤフラム弁。
（項目８）
前記ダイヤフラムは、前記ダイヤフラムの周縁を中心とする溶接によって前記弁座担体に取着されているドーム状円形ディスクを備え、前記ダイヤフラム弁は、前記弁座保定器に対して、前記溶接の半径方向内向きに、前記ダイヤフラムに圧縮荷重を印加する、ねじ山付き部材をさらに備える、項目１に記載のダイヤフラム弁。
（項目９）
前記第２のポートは、前記弁空洞を画定する、前記弁体の表面内に提供され、前記弁座担体は、外側リムと、前記外側リムから中心開口部に半径方向内向きに延在するウェブとを有する、環状体を備え、前記ウェブは、前記ウェブの下側表面と前記弁体の表面との間に間隙を提供するように配置されている、項目１に記載のダイヤフラム弁。
（項目１０）
前記ダイヤフラムの表面を前記弁座と接触させ、かつ接触から外すよう移動させるように動作可能である、弁アクチュエータと組み合わせた、項目１に記載のダイヤフラム弁。
（項目１１）
前記ダイヤフラムは、ステンレス鋼から成り、前記弁座担体は、ステンレス鋼から成り、前記弁座は、ポリマーまたはプラスチックから成る、項目１に記載のダイヤフラム弁。
（項目１２）
弁座と、弁座担体と、ダイヤフラムとを備える、弁アセンブリであって、前記弁座は、前記弁座担体と、溶接によって前記弁座担体の第１の側に取着された前記ダイヤフラムと保定される、弁アセンブリ。
（項目１３）
前記弁座担体は、外側リムと、前記外側リムから前記ウェブ内の中心開口部に半径方向内向きに延在するウェブとを有する、環状体を備える、項目１２に記載の弁アセンブリ。
（項目１４）
前記ウェブは、前記中心開口部を中心とするランド部によって分離された複数の流動通路を備える、項目１３に記載の弁アセンブリ。
（項目１５）
前記弁座は、前記弁座の円周方向壁と前記中心開口部を画定する前記弁座担体の壁との間の締まり嵌めによって、前記弁座担体と保定されている、項目１３に記載の弁アセンブリ。
（項目１６）
前記ウェブは、可撓性である、項目１５に記載の弁アセンブリ。
（項目１７）
隣接する対の前記流動通路間の各前記ランド部は、各流動通路の断面積未満の表面積を有する、項目１４に記載の弁アセンブリ。
（項目１８）
前記ダイヤフラムは、ドーム状円形ディスクを備え、前記ダイヤフラムの周縁を中心として前記弁座担体に溶接されている、項目１２に記載の弁アセンブリ。
（項目１９）
前記ダイヤフラムは、ステンレス鋼から成り、前記弁座担体は、ステンレス鋼から成り、前記弁座は、ポリマーまたはプラスチックから成る、項目１８に記載の弁アセンブリ。
（項目２０）
前記ダイヤフラムは、前記第１のポートと前記第２のポートとの間で流動を開閉するように動作可能であり、前記ダイヤフラムは、前記弁座と接触し、前記第１のポートと前記第２のポートとの間の流動を閉鎖するように移動可能である、項目１に記載のダイヤフラム弁。
（項目２１）
前記弁座担体は、ばね定数１００，０００ポンド／インチ未満を有する、項目１に記載のダイヤフラム弁。
（項目２２）
前記弁座担体は、より好ましくは、ばね定数８０，０００ポンド／インチ未満を有する、項目２１に記載のダイヤフラム弁。
（項目２３）
前記弁座担体は、より好ましくは、ばね定数約２０，０００ポンド／インチを有する、項目２２に記載のダイヤフラム弁。
（項目２４）
前記弁座担体は、ばね定数１００，０００ポンド／インチ未満を有する、項目１２に記載の弁アセンブリ。
（項目２５）
前記弁座担体は、より好ましくは、ばね定数８０，０００ポンド／インチ未満を有する、項目２４に記載の弁アセンブリ。
（項目２６）
前記弁座担体は、より好ましくは、ばね定数約２０，０００ポンド／インチを有する、項目２５に記載の弁アセンブリ。
（項目２７）
前記間隙は、前記第２のポートの流動面積以上の流動面積を呈する、項目９に記載のダイヤフラム弁。
（項目２８）
前記ウェブは、概して、平面であり、ばね定数１００，０００ポンド／インチ未満を有する、項目２７に記載のダイヤフラム弁。
（項目２９）
ダイヤフラム弁内のダイヤフラムまたは弁座または両方を交換する方法であって、
前記ダイヤフラムの周縁を弁座担体の外側リムに溶接することにより、前記ダイヤフラムを前記弁座担体に取着することによって、弁座、前記弁座担体、およびダイヤフラムを備える、交換用弁アセンブリを形成することと、
前記弁座を前記弁座担体と前記溶接されたダイヤフラムと保定することと、
弁体から以前に使用された弁アセンブリを除去し、前記以前に使用された弁アセンブリと前記交換用弁アセンブリを交換することと
を含む、方法。
（項目３０）
前記弁座担体の表面を前記弁体の表面に対して圧縮することによって、荷重を前記弁体内の弁アセンブリに印加し、本体密閉を形成するステップを含む、項目２９に記載の方法。
（項目３１）
ダイヤフラムまたは弁座または両方をダイヤフラム弁の中に設置する方法であって、
前記ダイヤフラムの周縁を弁座担体の外側リムに溶接することにより、前記ダイヤフラムを前記弁座担体に取着することによって、弁座、前記弁座担体、およびダイヤフラムを備える、弁アセンブリを形成することと、
前記弁座を前記弁座担体と前記溶接されたダイヤフラムと保定することと、
前記弁アセンブリを弁体の中に設置することと
を含む、方法。
（項目３２）
前記弁座担体の表面を前記弁体の表面に対して圧縮することによって、荷重を前記弁体内の弁アセンブリに印加し、本体密閉を形成するステップを含む、項目３１に記載の方法。
（項目３３）
ダイヤフラム弁であって、
弁空洞と、第１のポートと、第２のポートとを備える、弁体であって、前記第１のポートおよび前記第２のポートは、前記弁空洞に開放する、弁体と、
前記弁空洞を密閉するように配置された可撤性弁アセンブリであって、前記弁アセンブリは、弁座、弁座担体、およびダイヤフラムを備え、前記弁座は、前記弁座担体と、溶接によって前記弁座担体の第１の側に取着された前記ダイヤフラムと保定され、前記弁アセンブリは、前記第１のポートおよび前記第２のポートと流体連通する、密閉された流動チャンバを提供する、弁アセンブリと
を備える、ダイヤフラム弁。
（項目３４）
前記可撤性弁アセンブリは、前記弁座担体の第２の側に、前記弁体の表面に対して圧縮され、前記密閉された流動チャンバ内に流体を含有するように本体密閉を形成する表面を備える、項目３３に記載のダイヤフラム弁。